(57)【要約】      （修正有）【課題】生き埋めとなった生存者の発見や、被災者の体温や埋設エリアの生存環境などの情報を得るため基準となる一種の標的としての役割を果たす地中および／または瓦礫に埋設される継足式ポールを提供する。【解決手段】一端がキャップによって閉鎖され、他端にソケットが接続された耐食性の金属材料製の最上部のパイプと、１または２以上の中間部のパイプと、最下部のパイプの先端に接続された円錐状部材とからなり、実質的に滑らかな外表面を有する埋設エリア探索システムに用いる継足式ポールであって、地中および／または瓦礫に埋設され、前記ソケットに、送受信反応センサが内蔵され、当該継足式ポールの埋設の際に合図として機能する送信信号を送信する手段と、集音器、振動検知器、電流検知器、温湿度検知器またはガス濃度検知器のうちの１種または２種以上からなる受信手段とを備える。【選択図】図１
0003123991.tif 000002
【実用新案登録請求の範囲】
【請求項１】
一端がキャップによって閉鎖され、他端にソケットが接続された耐食性の金属材料製の最上部のパイプと、
前記ソケットを介して最上部のパイプと直列に接続された１または２以上の少なくとも金属材料からなる中間部のパイプと、
前記中間部のパイプのうちの最下部のパイプの先端に接続された円錐状部材と
からなり、実質的に滑らかな外表面を有する埋設エリア探索システムに用いる継足式ポールであって、
前記最上部のパイプと中間部のパイプとが地中および／または瓦礫に埋設され、
前記ソケットに、送受信反応センサが内蔵され、当該継足式ポールの埋設の際に合図として機能する送信信号を送信するための送信手段と、
集音器、振動検知器、電流検知器、温湿度検知器またはガス濃度検知器のうちの１種または２種以上からなる受信手段
とを備えてなる継足式ポール。
【請求項２】
前記最上部のパイプとソケット、前記中間部のパイプとソケット、および前記円錐状部材とソケットとが接続手段を介して螺着され、
前記最上部および中間部のパイプおよびソケットの少なくとも一端が前記接続手段によって閉鎖され、かつ
前記キャップの両端が閉鎖されており、当該両端が閉鎖されたキャップの一端が前記接続手段によって閉鎖されてなる
ことを特徴とする請求項１記載の被災者探索用継足式ポール。
【請求項３】
前記接続手段が、その両端にそれぞれ外ネジが形成された特殊ロングプラグであり、当該特殊ロングプラグが前記最上部および中間部のパイプとソケットの端部に形成された内ネジにボンド螺着されることによって固定され、かつ当該特殊ロングプラグが前記両端が閉鎖されたキャップの一端に形成された内ネジにボンド螺着されることによって固定されてなる請求２記載の継足式ポール。
【請求項４】
前記送信手段が、点滅する閃光やブザーなどの可聴信号または音声である請求項１〜３のいずれかに記載の継足式ポール。
【考案の詳細な説明】
【技術分野】
【０００１】
本考案は、災害により土砂および／または瓦礫中に埋もれた被災者を探索する埋設エリア探索システムに用いる継足式ポール（以下、継足式ポールという）に関する。さらに詳しくは、最上部のパイプと、当該最上部のパイプと直列に接続された１または２以上のパイプとが土砂および／または瓦礫中に埋設されてなる継足式ポールに関する。
【背景技術】
【０００２】
土砂の崩落や、建造物等の崩壊などの災害時には、人命救助や探索（捜索）が機軸として行われ、救助活動や復旧作業に際し、土砂や倒壊物などの搬出も並行して行われるのが通常である。そして、ともすれば土砂や倒壊物の搬出・撤去に要する重作業を先行せざるを得ない場合もあり、二次災害の発生の可能性のために作業の中断を余儀なくされ、尊い人命が犠牲になる場合もある。
【０００３】
一方、被災者の存在を災害発生前に場所を含めて記憶登録し、災害発生を検出すると救助信号を自動送出するブラックボックスを設ける被災者検出方法およびシステムが従来より知られている。
【０００４】
【特許文献１】特開２００１−２８３３４８号公報
【考案の開示】
【考案が解決しようとする課題】
【０００５】
しかし、特許文献１に開示された被災者検出方法およびシステムの場合、阪神大災害のような大規模な災害時には、災害発生前に場所を含めて記憶登録された情報自体が役に立たず、結局は闇雲に被災者の捜索・救出作業を行わなければならない。
【０００６】
本考案は、土砂の崩落や建造物の崩壊を含む大規模災害における人命救助やライフライン等の復旧作業に際し、土砂および／または瓦礫の中に生き埋めとなった生存者の発見や、探索中の被災者の体温や埋設エリアの生存環境などの情報を得るため初期対応となりうる方向と距離とを算出するための基準となる一種の標的としての役割を果たす地中および／または瓦礫に埋設される継足式ポールを提供することを目的とする。
【課題を解決するための手段】
【０００７】
本考案の継足式ポールは、一端がキャップによって閉鎖され、他端にソケットが接続された耐食性の金属材料製の最上部のパイプと、
前記ソケットを介して最上部のパイプと直列に接続された１または２以上の少なくとも金属材料からなる中間部のパイプと、
前記中間部のパイプのうちの最下部のパイプの先端に接続された円錐状部材と
からなり、実質的に滑らかな外表面を有する埋設エリア探索システムに用いる継足式ポールであって、
前記最上部のパイプと中間部のパイプとが地中および／または瓦礫に埋設され、
前記ソケットに、送受信反応センサが内蔵され、当該継足式ポールの埋設の際に合図として機能する送信信号を送信するための送信手段と、
集音器、振動検知器、電流検知器、温湿度検知器またはガス濃度検知器のうちの１種または２種以上からなる受信手段
とを備えてなる
ことを特徴としている。
【０００８】
また、前記最上部のパイプとソケット、前記中間部のパイプとソケット、および前記円錐状部材とソケットとが接続手段を介して螺着され、
前記最上部および中間部のパイプおよびソケットの少なくとも一端が前記接続手段によって閉鎖され、かつ
前記キャップの両端が閉鎖されており、当該両端が閉鎖されたキャップの一端が前記接続手段によって閉鎖されてなる
ことが好ましい。
【０００９】
また、前記接続手段が、その両端にそれぞれ外ネジが形成された特殊ロングプラグであり、当該特殊ロングプラグが前記最上部および中間部のパイプとソケットの端部に形成された内ネジにボンド螺着されることによって固定され、かつ当該特殊ロングプラグが前記両端が閉鎖されたキャップの一端に形成された内ネジにボンド螺着されることによって固定されてなることが好ましい。
【００１０】
また、前記送信手段が、点滅する閃光やブザーなどの可聴信号または音声であることが好ましい。
【考案の効果】
【００１１】
本考案によれば、構造がきわめてシンプルであり、土砂および／または瓦礫中に埋設できる継足式ポールを提供することができる。また、被災地で容易に組み立てができ、そのうえ土砂および／または瓦礫中に容易に埋設することができる。そして、埋設や撤去が容易であるため、複数の現場で、繰り返し使用することができるという利点もあり、経済的である。さらに、破損した場合でも、構成がシンプルであるため、簡単な部品交換により容易に再生することができる。
【００１２】
また、本考案の継足式ポールは、災害に伴う被災者の探索（捜索）などの救急対策として、埋設エリアにおける被災者探索システムに有効に適用することができるだけでなく、平時における建造物や、あらゆる自然や造成地を含む埋設エリアなどの探索や、計測検知手段としても適用することができる。さらに、継足式ポールの埋設は緊急を要するのであるが、本考案によれば、専用工具を装備しておけば、打杭については本考案の継足式ポールの構成がシンプルであり、接続が簡単であるという利点をいかして、迅速に継足（接続）作業をすることができ、継足しながら、専用の小型エアハンマーによって継足式ポールの迅速な埋設が可能となる。また、脱杭（埋設された継足式ポールの撤去）についても専用の杭抜器を用いるため、鑿泉工事用の櫓やおおがかりな構築付帯設備は一切必要なく、省力的であり、被災者の探索（捜索）活動をきわめて効率的に行うことができる。
【００１３】
さらに、市場で入手できる従来のパイプの場合、複数のパイプを直列に連結する際には、パイプ内を通過する流体抵抗を小さくすることを考慮してパイプの内面を滑らかにするために、ソケットやユニオンが使われ、突出したフランジ部をパイプ外面においてネジにより結合される。したがって、従来のパイプを本考案の継足式ポールに適用すると、継足式ポールの外面に標準ソケット（規格品）やユニオンなどの突起により、打杭、脱杭作業に支障が生じるが、本考案の継足式ポールの構成部品を螺着した後、継足式ポールの外面が滑らかであるので、打杭や脱杭作業を円滑に行うことができるという利点がある。
【００１４】
また、本考案の請求項３にかかわる継足式ポールによれば、パイプおよびソケットの一端が閉鎖されるため、超音波受信機能などのノイズガードの精度についても効果的に機能することができる。本考案の請求項３にかかわる継足式ポールによれば、パイプやソケットの一端（片側）に特殊ロングプラグをプラグレンチでボンド螺着することにより固定され、パイプやソケットの一端のみを閉鎖（片閉鎖）し、かつ連結に用いる螺着機能を有する部品構成が容易になる。したがって、パイプおよびソケットやキャップそれぞれにロングプラグの一端が固定され、他端が現場で螺着できる部品構成になる。
【考案を実施するための最良の形態】
【００１５】
添付図面を参照しながら本考案の継足式ポールを以下に詳細に説明する。
【００１６】
図１は本考案の継足式ポールを埋設エリアにおける被災者探索システムに適用した例を示す説明図、図２は本考案の継足式ポールを構成するキャップを示す部分断面説明図、図３は本考案の継足式ポールを構成するパイプを示す部分断面説明図、図４は本考案の継足式ポールを構成するソケットを示す部分断面説明図、図５は本考案の継足式ポールを構成する先端錐を示す部分断面説明図、図６は本考案の継足式ポールを構成する特殊ロングプラグを示す側面説明図である。
【００１７】
図１〜６を参照すると、本考案の継足式ポールは、一端がキャップ１によって閉鎖され、他端にそれぞれソケット３が接続された耐食性の金属材料製の最上部のパイプ２と、ソケット３を介して最上部のパイプ２と直列に接続された２本の１または２以上の少なくとも金属製の中間部のパイプとから構成されており、最下部のパイプ２の先端には円錐状部材４が接続されている。
【００１８】
最上部および中間部のパイプ２およびソケットの両端には内ネジが形成されている。また、円錐状部材４のソケット３との接続側端部にも内ネジが形成されている。
【００１９】
また、ソケット３の素材としては、たとえば金属および強化樹脂合金から製造したものを採用することができる。
【００２０】
さらに、最上部および中間部のパイプ２に螺着されたソケット３の内部には、たとえば、センサ取り付け用の凹所または溝が設けられた取付部材を介して従来より知られた送受信反応センサが内蔵され、継足式ポールの埋設の際に合図として機能する送信信号を送信するための送信手段と、集音器、振動検知器、電流検知器、温湿度検知器またはガス濃度検知器のうちの１または２以上からなる受信手段を設けることができる。送信手段としては、たとえば、点滅する閃光やブザーなどの可聴信号または音声を採用することができる。
【００２１】
図１に示された構成では、中間部の２本のパイプ２がソケット３を介して直列に接続されているが、かかる構成に限られることはない。中間部のパイプ２は１本だけでもよく、またソケット３を介して３本以上接続することもできる。
【００２２】
つぎに、図２〜６を参照すると、キャップ１の開口端、最上部および中間部のパイプ２の一端、ソケット３の一端には、それぞれ特殊ロングプラグ５が固定される。図６に示されるように、特殊ロングプラグ５の両端には外ねじが設けられている。また特殊ロングプラグ５の一端には、正方形断面形状を有する突出部５ａが形成されている。
【００２３】
したがって、キャップ１の開口端、パイプ２の一端、ソケット３の一端への特殊ロングプラグ５の固定は、特殊ロングプラグ５の他端（突出部５ａが設けられていない側の端部）に設けられたネジに接着剤を塗布し、プラグレンチを用いて締めつけること（ボンド螺着）によって行われる。また、ボンド螺着以外にロングプラグの一端についてスポット溶接による「スポット溶着」を採用することも可能である。なお、固定されたロングプラグの他端の露出部については、現場で螺着継足する以外は樹脂製の「螺着保護キャップ」でカバーすることが好ましい。
【００２４】
このように構成された本考案の継足式ポールは構成がシンプルであるので、打杭については、専用工具を装備しておけば、迅速に継足（接続）作業をすることができ（すなわち、図１に示されるように、実質的に滑らかな外表面を有しており、地中および／または瓦礫中への埋設がスムーズに行われる。各構成部品の接続手段として機能する特殊ロングプラグ５を介してキャップ１と最上部のパイプ２、最上部のパイプ２とソケット３、ソケット３と中間部のパイプ２、ソケット３と円錐状部材４とが接続でき）、継足しながら、専用の小型エアハンマーによって継足式ポールの迅速な埋設が可能となる。
【００２５】
また、脱杭（埋設された継足式ポールの撤去）についても専用の杭抜器を用いることにより埋設された継足式ポールの脱杭がスムーズに行われる。
【００２６】
したがって、本考案の継足式ポールは、埋設エリア探索システムに好適に適用することができる。
【００２７】
そこで、本考案の継足式ポールの埋設エリア探索システムへの適用例について説明する。
【００２８】
埋設エリア探索システムの一例においては、地中に埋設された前記継足式ポールが受信手段として機能する。
【００２９】
そして、当該埋設エリア探索システムは、前述のとおりに構成された継足式ポールの最上部および中間部の１または２以上のパイプ２に特殊ロングプラグ５を介して螺着されたソケット３に内蔵された送受信反応センサに対して、図１に示されるように、地上から遠隔操作によって超音波送受信装置Ａによって操作され、継足式ポールによって反射した超音波を受信して画像を作成するための画像処理装置を備えている。なお、超音波送受信装置Ａは、パーソナルコンピュータＢと有線または無線により接続されている。
【００３０】
また、埋設エリア探索システムの他の例においては、地中に埋設された前記継足式ポールと、当該継足式ポールを構成している最上部および中間部の１または２以上のパイプ２に特殊ロングプラグ５を介して螺着されたソケット３に内蔵された赤外線反応センサに対して、地上から遠隔操作による赤外線放射装置によって放射され、継足式ポールによって反射した赤外線反射光を受信して画像を作成するための画像処理装置とを備えた構成を採用することもできる。
【図面の簡単な説明】
【００３１】
【図１】本考案の継足式ポールを埋設エリアにおける被災者探索システムに適用した例を示す説明図である。
【図２】本考案の継足式ポールを構成するキャップを示す部分断面説明図である。
【図３】本考案の継足式ポールを構成するパイプを示す部分断面説明図である。
【図４】本考案の継足式ポールを構成するソケットを示す部分断面説明図である。
【図５】本考案の継足式ポールを構成する先端錐を示す部分断面説明図である。
【図６】本考案の継足式ポールを構成する特殊ロングプラグを示す側面説明図である。
【符号の説明】
【００３２】
１  キャップ
２  パイプ
３  ソケット
４  円錐状部材
５  特殊ロングプラグ
【図１】
0003123991.tif 000003
【図２】
0003123991.tif 000004
【図３】
0003123991.tif 000005
【図４】
0003123991.tif 000006
【図５】
0003123991.tif 000007
【図６】
0003123991.tif 000008